(57)【要約】【課題】ライトワンス型の記憶媒体に対応し得る装置の情報を容易に確認することができる情報処理装置を提供する。【解決手段】ファイルを記憶する記憶媒体３０を挿入するインタフェース２０と、前記インタフェースに挿入された前記記憶媒体がライトワンス型記憶媒体であるか否か検出する検出部２２と、前記検出部により前記ライトワンス型記憶媒体であることが検出された場合において、前記ファイルを作成した装置情報が当該記憶媒体に記憶されているか否か判断し、前記装置情報が記憶されていると判断した場合に、前記ライトワンス型記憶媒体に対応した対応装置として当該装置情報を表示する表示制御部２２とを備える。【選択図】図１
2010093545.tif 000002
【特許請求の範囲】
【請求項１】
ファイルを記憶する記憶媒体を挿入するインタフェースと、
前記インタフェースに挿入された前記記憶媒体がライトワンス型記憶媒体であるか否か検出する検出部と、
前記検出部により前記ライトワンス型記憶媒体であることが検出された場合において、前記ファイルを作成した装置情報が当該記憶媒体に記憶されているか否か判断し、前記装置情報が記憶されていると判断した場合に、前記ライトワンス型記憶媒体に対応した対応装置として当該装置情報を表示する表示制御部と
を備えることを特徴とする情報処理装置。
【請求項２】
前記対応装置は、前記ライトワンス型記憶媒体に記憶されているファイルの削除に関する処理を含む記憶制御処理が可能であり、
前記表示制御部は、自装置が前記対応装置でない場合に、前記装置情報を表示することを特徴とする請求項１記載の情報処理装置。
【請求項３】
前記記憶媒体には複数の前記ファイルが記憶されており、
前記表示制御部は、前記記憶媒体に記憶されている全ての前記装置情報に基づいて、前記対応装置としての前記装置情報を表示することを特徴とする請求項１又は２記載の情報処理装置。
【請求項４】
前記記憶媒体には複数の前記ファイルの更新順序を示す更新情報が記憶されており、
前記表示制御部は、全ての前記更新情報において、前記更新順序が最新である前記ファイルの前記装置情報を前記対応装置として表示することを特徴とする請求項３記載の情報処理装置。
【請求項５】
前記情報処理装置は、被写体光を撮像して撮像信号を出力する撮像素子を備えたカメラであり、
前記記憶媒体には、Ｅｘｉｆ形式に従って記憶された画像ファイルが記憶されており、
前記表示制御部は、前記Ｅｘｉｆ形式で記憶されている前記画像ファイルの撮影情報に前記装置情報が記憶されているときに、前記表示制御を行うことを特徴とする請求項１〜４の何れか一項に記載の情報処理装置。
【発明の詳細な説明】
【技術分野】
【０００１】
本発明は、ライトワンス型の記憶媒体を装着可能な情報処理装置に関するものである。
【背景技術】
【０００２】
従来、１回だけ記録可能なライトワンス型の記憶媒体に記憶されているファイルの削除、移動、変更などをデジタルカメラで行う場合に、ファイルを管理するＦＡＴやディレクトリ情報等の管理情報を新たに作成し、ファイルの読み出し等を行う場合には新たに作成した管理情報を参照する技術が存在する (特許文献１参照)。
【特許文献１】特開２００３−１５７１９３号公報
【発明の開示】
【発明が解決しようとする課題】
【０００３】
しかしながら、ユーザが、ライトワンス型の記憶媒体に記憶されているファイルの削除や変更等を上記方法により行うことができるカメラを所有しているとは限らない。また、このようなカメラを所有しているか否かは、ユーザがカメラ毎にファイルの削除などを試してみなければ知ることができない。
【０００４】
本発明の目的は、ライトワンス型の記憶媒体に対応し得る装置の情報を容易に確認することができる情報処理装置を提供することである。
【課題を解決するための手段】
【０００５】
本発明の情報処理装置は、ファイルを記憶する記憶媒体を挿入するインタフェースと、前記インタフェースに挿入された前記記憶媒体がライトワンス型記憶媒体であるか否か検出する検出部と、前記検出部により前記ライトワンス型記憶媒体であることが検出された場合において、前記ファイルを作成した装置情報が当該記憶媒体に記憶されているか否か判断し、前記装置情報が記憶されていると判断した場合に、前記ライトワンス型記憶媒体に対応した対応装置として当該装置情報を表示する表示制御部とを備える。
【発明の効果】
【０００６】
本発明に係る情報処理装置は、インタフェースにライトワンス型記憶媒体が挿入された場合に、ライトワンス型記憶媒体に対応した対応装置の情報を表示することができる。
【発明を実施するための最良の形態】
【０００７】
以下、本発明の実施形態に係るカメラについて説明する。本実施形態に係るカメラは、ライトワンス型でない通常のメモリーカードに対しては、撮影した画像ファイルの記録や削除等を行うことができる。通常のメモリーカードにおける画像ファイルの削除方法は、メモリーカードにＦＡＴファイルシステムが適用されている場合、削除対象となる画像ファイルが記憶されている記憶領域が空き領域となるように、その記憶領域に対応するＦＡＴ領域や、その画像ファイルのファイル名等を記憶するファイル管理領域を書き換える。
【０００８】
一方、ライトワンス型のメモリーカードに対しては、上述した特許文献１に記載された削除方法や、削除対象の画像ファイルが記憶されている記憶領域を読み出さないように、その記憶領域を再生対象から除外することを示す情報を所定の記憶領域に追記する削除方法を行うことができないライトワンス型未対応カメラである。なお、ライトワンス型メモリーカードに画像ファイルを記録可能なカメラは、上記方法による画像ファイルの削除も行いうるライトワンス型対応カメラであるものとして以下の説明を行う。
【０００９】
図１は、本実施形態に係るカメラの構成図である。本実施形態に係るカメラ１は、撮影レンズ１１、ＣＣＤ１２、ＣＣＤドライバ１３、プリプロセス回路１４、Ａ／Ｄ変換回路１５、ＡＳＩＣ(Application Specific Integrated Circuit)１６、メモリ１７、カラーモニタ１８、操作部１９、メモリーカードＩ／Ｆ２０、外部Ｉ／Ｆ２１、及びＣＰＵ２２を備えて構成されている。
【００１０】
ＣＣＤ１２は、撮影レンズ１１を介した被写体光を撮像して被写体の明るさに応じた電荷を蓄積し、ＣＣＤドライバ１３の制御の下、蓄積した電荷のアナログ信号をプリプロセス回路１４に出力する。プリプロセス回路１４は、ＣＣＤ１２から出力されたアナログ信号を増幅し、雑音除去や黒レベル調整等のアナログ処理を行う。Ａ／Ｄ変換回路１５は、プリプロセス回路１４でアナログ処理されたアナログ信号をデジタル信号に変換する。
【００１１】
ＡＳＩＣ１６は、Ａ／Ｄ変換回路１５によって変換されたデジタル信号に対する輪郭補償やガンマ補正等の画像処理を行う。また、ＡＳＩＣ１６は、Ｅｘｉｆ(Exchangeable Image File Format)規格に従って、撮像した画像データの撮影日時等の情報、撮像したカメラのメーカー名、機種名、シリアル番号等を含むＥｘｉｆ情報、画像処理後の画像データを所定サイズに縮小したサムネイル画像を生成し、Ｅｘｉｆ情報、サムネイル画像、及び画像処理後の画像データについてＪＰＥＧ等の方式で圧縮を行う。
【００１２】
メモリ１７は、カメラ１の設定情報等を記憶する。カラーモニタ１８は、液晶ディスプレイで構成され、撮影画像やカメラ設定情報等を表示する。操作部１９は、電源スイッチ、レリーズボタン等の操作ボタンを含んで構成されており、ユーザ操作を受付ける。
【００１３】
メモリーカードＩ／Ｆ２０は、着脱可能なメモリーカード３０との接続インタフェースであり、挿入されたメモリーカードとカメラ１との間でコマンドやデータ等の送受信を中継する。外部Ｉ／Ｆ２１は、ＰＣ等の機器を接続するＵＳＢ等の接続インタフェースであり、接続された機器とカメラ１との間の通信を中継する。
【００１４】
また、メモリーカード３０は、ＳＤカード等で構成され、データを記憶するフラッシュメモリと、メモリーカードＩ／Ｆ２０を介してカメラ１から送信されるコマンドに応じて、データ書き込み又は読み出しの制御を行うメモリコントローラ、データ書き込み単位、記憶容量、ライトワンス型メモリーカードか否かを示すカードの種類等、カード属性情報を記憶するレジスタを含んで構成されており、ＦＡＴファイルシステムを適用してフォーマットされている。
【００１５】
ＣＰＵ２２は、図示しないＲＯＭ及びＲＡＭを含んで構成されており、ＲＯＭに記憶されたプログラムを実行することによりカメラ１を構成する各部を制御する。
【００１６】
以下、図２、図３及び図４を用いて、本実施形態に係るカメラ１の動作について説明する。図２は、本実施形態に係るカメラ１の動作フローを示している。尚、本動作では、カメラ１の電源はＯＮの状態に設定されており、メモリーカード３０にはＤＣＦ規格及びＥｘｉｆ規格に従って画像ファイルが記録されているものとする。また、メモリーカード３０に記憶されている画像ファイルの再生順序は、画像ファイルのファイル名の降順で行い、画像ファイルをカラーモニタ１８に順次表示するものとする。
【００１７】
ＣＰＵ２２は、メモリーカードＩ／Ｆ２０にメモリーカード３０が挿入されたことを検出した場合(ステップＳ１０：Ｙ)、メモリーカード３０からカード属性情報を取得し、ＲＡＭに記憶する(ステップＳ１１)。
【００１８】
ＣＰＵ２２は、ユーザから操作部１９を介して画像ファイルの再生指示がなされた場合(ステップＳ１２：Ｙ)、メモリーカード３０のファイルシステムを読み出してディレクトリ構造を参照し、画像ファイルのファイル番号の降順で順次画像ファイルを読み出す。そして、読み出した画像ファイルの画像データをカラーモニタ１８に表示する(ステップＳ１３)。
【００１９】
ＣＰＵ２２は、ユーザにより操作部１９を介して再生中の画像ファイルを削除する指示がなされた場合(ステップＳ１４)、ＲＡＭに記憶したメモリーカード３０のカード属性情報を参照し、メモリーカード３０がライトワンス型のメモリーカードであるか否かを判断する(ステップＳ１５)。ＣＰＵ２２は、メモリーカード３０がライトワンス型のメモリーカードであると判断した場合(ステップＳ１５：Ｙ)、メモリーカード３０にＥｘｉｆ情報が記憶されているか否か判断する(ステップＳ１６)。
【００２０】
ＣＰＵ２２は、ステップＳ１６において、メモリーカード３０にＥｘｉｆ情報が記憶されていると判断した場合(ステップＳ１６：Ｙ)、ステップＳ１４において削除指示がなされた再生中の画像ファイルのＥｘｉｆ情報を参照する(ステップＳ１７)。ここで、再生中の画像ファイルのＥｘｉｆ情報の例を図３に示す。
【００２１】
ＣＰＵ２２は、図３に示すＥｘｉｆ情報４０に含まれている機種名“Ｎ−Ｄ６０”とシリアル番号“ＸＸＸＸ７７７”を読み出す(ステップＳ１８)。そして、ＣＰＵ２２は、読み出した“Ｎ−Ｄ６０”と“ＸＸＸＸ７７７”をライトワンス型対応カメラの情報としてカラーモニタ１８に表示すると共に、カメラ１がライトワンス型対応カメラでないことを示す情報“削除できません”をカラーモニタ１８に表示する(ステップＳ１９)。
【００２２】
図４は、ステップＳ１９の処理を行ったときのカラーモニタ１８の表示例を示している。同図に示すように、カメラ１がライトワンス型対応カメラでないことを示す情報とライトワンス型対応カメラの情報とを含む画像５０を表示する。
【００２３】
また、ステップＳ１５において、ＣＰＵ２２は、メモリーカード３０がライトワンス型のメモリーカードでないと判断した場合(ステップＳ１５：Ｎ)、メモリーカード３０のファイルシステムにおいて、削除指示がなされた再生中の画像ファイルが記憶されている記憶領域に対応するＦＡＴ領域及びファイル管理領域において、空き領域の状態となるよう書き換えを行う(ステップＳ２０)。
【００２４】
また、ステップＳ１６において、ＣＰＵ２２は、メモリーカード３０にＥｘｉｆ情報が記憶されていないと判断した場合(ステップＳ１６：Ｎ)、画像ファイルの削除を行うことができない旨の情報をカラーモニタ１８に表示する(ステップＳ２１)。
【００２５】
なお、ＣＰＵ２２は、ステップＳ１０において、メモリーカードＩ／Ｆ２０にメモリーカード３０が挿入されていないことを検出した場合(ステップＳ１０：Ｎ)、メモリーカード３０が挿入されるまで電源がＯＮの状態で待機する。また、ステップＳ１２において、ユーザから画像ファイルの再生指示がなされなかった場合(ステップＳ１２：Ｎ)には、電源がＯＮの状態で待機する。また、ステップＳ１４において、画像ファイルを削除する指示がユーザによってなされなかった場合には(ステップＳ１４：Ｎ)、画像ファイルの再生を継続して行う。
【００２６】
上述した本実施形態おいては、ライトワンス型メモリーカードに対応していないカメラであることから、そのメモリーカードに記憶されている画像ファイルの削除処理を行うことはできないが、ライトワンス型メモリーカードに対する画像ファイルの記録や削除を行いうるライトワンス型対応カメラの情報を表示することができる。従って、ユーザが所有する全てのカメラ等について、ライトワンス型メモリーカードに記憶されている画像ファイルの削除等を試すことなく、ユーザはライトワンス型対応カメラを確認することができる。
【００２７】
以下、上述した実施形態の変形例について説明する。上述した実施形態では、画像ファイルの再生中、ユーザによって削除指示がなされた画像ファイルのＥｘｉｆ情報に含まれている機種名及びシリアル番号をライトワンス型対応カメラの情報として表示するものとして説明したが、メモリーカード３０に記憶されている全画像ファイルのうち、ファイルの作成日、更新日、撮影日時の何れかが最新の画像ファイル、又は、フォルダ番号及びファイル番号が最大である画像ファイルのＥｘｉｆ情報に含まれている機種名及びシリアル番号をライトワンス型対応カメラの情報として表示するようにしてもよい。
【００２８】
また、メモリーカード３０に記憶されている全画像ファイルのうち、Ｅｘｉｆ情報に含まれる機種名及びシリアル番号が同一である画像ファイルの数が最も多い機種名及びシリアル番号をライトワンス型対応カメラの情報として表示するようにしてもよいし、全種類の機種名及びシリアル番号を表示するようにしてもよい。
【００２９】
また、上述した実施形態では、カメラ１がライトワンス型未対応カメラであるものとして説明したが、カメラ１がライトワンス型対応カメラである場合においても上述したライトワンス型対応カメラの情報を表示するようにしてもよい。
【００３０】
また、上述した実施形態では、一枚の画像を順次再生しているときに削除指示がなされた場合について説明したが、ユーザによって画像ファイルの削除メニューが選択されたときにライトワンス型対応カメラの情報を表示するようにしてもよいし、ライトワンス型メモリーカードが挿入されたことを検出したときにライトワンス型対応カメラの情報を表示するようにしてもよい。この場合には、削除メニューの選択時又はライトワンス型メモリーカードの挿入の検出時に、上述した変形例と同様の方法により、メモリーカード３０に記憶されている全画像ファイルのＥｘｉｆ情報から機種名及びシリアル番号を抽出して表示する。
【００３１】
また、上述した実施形態では、画像ファイルの再生の際に削除指示がなされた場合について説明したが、ライトワンス型メモリーカードの挿入後に撮影操作がなされたときに、ライトワンス型対応カメラの情報と、画像ファイルを記録することができない旨の情報とを表示するようにしてもよい。
【００３２】
また、上述した実施形態では、削除対象の画像ファイルに対応するＥｘｉｆ情報に含まれる機種名及びシリアル番号をライトワンス型対応カメラの情報として表示するものとして説明したが、ライトワンス型メモリーカードに記憶されているデータの削除処理が可能なカメラの機種名及びシリアル番号を含むテーブル情報を予めメモリに記憶し、Ｅｘｉｆ情報に含まれる機種名及びシリアル番号と、テーブル情報の機種名及びシリアル番号が一致するものをライトワンス型対応カメラの情報として表示するようにしてもよい。また、一致するものがない場合には、テーブル情報の全機種名及びシリアル番号をライトワンス型対応カメラの情報として表示するようにしてもよい。
【００３３】
また、データ記憶領域がライトワンスであり、ＦＡＴ領域がライトワンスでないメモリーカードが挿入された場合、削除対象の画像ファイルの記憶領域に対応するＦＡＴ領域において、その記憶領域が空き領域であることを示す情報に書き換えるような削除処理を行うことができないカメラであるとき、上述した実施形態と同様に、削除処理を行うことができない旨の情報とライトワンス型対応カメラの機種名等を示す情報を表示する。
【００３４】
また、上述した実施形態では、メモリーカード３０にはＥｘｉｆ規格に従って画像ファイルが記憶されているものとして説明したが、画像ファイルを作成したカメラを識別する装置情報を画像ファイルと対応づけて記録するものであればＥｘｉｆ規格に限らない。この場合には、メモリーカード３０に記憶されている画像ファイルに対応づけて装置情報が記憶されているか否か判断し、装置情報が対応づけて記憶されている場合にその装置情報をライトワンス型対応カメラの情報として表示する。
【００３５】
また、上述した実施形態ではカメラを用いて説明したが、ライトワンス型の記憶媒体に記憶されているファイルの再生を行うことができる情報機器であればカメラに限らない。
【図面の簡単な説明】
【００３６】
【図１】実施形態に係るカメラのシステム構成図である。
【図２】実施形態に係るカメラの動作フロー図である。
【図３】実施形態におけるＥｘｉｆ情報の例を示す図である。
【図４】実施形態におけるライトワンス型対応カメラの情報の表示例である。
【符号の説明】
【００３７】
１１・・・撮影レンズ、１２・・・ＣＣＤ、１３・・・ＣＣＤドライバ、１４・・・プリプロセス回路、１５・・・Ａ／Ｄ変換回路、１６・・・ＡＳＩＣ、１７・・・メモリ、１８・・・カラーモニタ、１９・・・操作部、２０・・・メモリーカードＩ／Ｆ、２１・・・外部Ｉ／Ｆ、２２・・・ＣＰＵ、３０・・・メモリーカード
【図１】
2010093545.tif 000003
【図２】
2010093545.tif 000004
【図３】
2010093545.tif 000005
【図４】
2010093545.tif 000006